(57)【要約】【課題】光源によって記録領域の被照射体に与える熱を低減することを可能にする構成を備えたインクジェット記録装置を提供する。【解決手段】インクジェット記録装置１が、光硬化性インクを記録媒体Ｐの上に吐出するノズルを備えたシリアル方式の記録ヘッド４と、記録媒体Ｐに着弾したインクに光を照射してインクを硬化させる光源６と、キャリッジ２を主走査方向に往復移動させる主走査機構１８と、キャリッジ２の走査範囲の両端側に位置する待機位置に設けられ、光源６から放射される熱を吸収する被照射体１１と、少なくとも１走査に必要な画像データを記憶可能な容量を有し、外部装置から受け取った画像データを一旦記憶する記憶部１５と、記憶部１５に１走査分の画像データが記憶されるまでキャリッジ２を走査せず、待機位置で待機させるように制御する制御部１４と、を備える。【選択図】図６
2006043952.tif 000002
【特許請求の範囲】
【請求項１】
光硬化性インクを記録媒体上に吐出するノズルを備えたシリアル方式の記録ヘッドと、
前記記録媒体に着弾した前記インクに光を照射して前記インクを硬化させる光源と、
前記記録ヘッド及び前記光源を搭載したキャリッジを主走査方向に往復移動させる主走査機構と、
前記キャリッジの走査範囲の両端側に位置する前記キャリッジの待機位置に設けられ、前記光源から放射される熱を吸収する被照射体と、
少なくとも１走査に必要な画像データを記憶可能な容量を有し、外部装置から受け取った画像データを一時的に記憶する記憶部と、
前記記憶部に１走査分の画像データが記憶されるまでは前記キャリッジを走査させず、前記待機位置で待機させるように制御する制御部と、
を備えることを特徴とするインクジェット記録装置。
【請求項２】
光硬化性インクを記録媒体上に吐出するノズルを備えたシリアル方式の記録ヘッドと、
前記記録媒体に着弾した前記インクに光を照射して前記インクを硬化させる光源と、
前記記録ヘッド及び前記光源を搭載したキャリッジを主走査方向に往復移動させる主走査機構と、
前記キャリッジの走査範囲の一端側に位置する前記キャリッジの待機位置に設けられ、前記光源から放射される熱を吸収する被照射体と、
少なくとも２走査に必要な画像データを記憶可能な容量を有し、外部装置から受け取った画像データを一時的に記憶する記憶部と、
前記記憶部に２走査分の画像データが記憶されるまでは前記キャリッジを走査させず、前記待機位置で待機させるように制御する制御部と、
を備えることを特徴とするインクジェット記録装置。
【請求項３】
前記記憶部は少なくとも３走査分以上の画像データを記憶することのできる容量を有することを特徴とする請求項２に記載のインクジェット記録装置。
【請求項４】
前記被照射体を冷却する冷却手段が設けられたことを特徴とする請求項１〜３のいずれか一項に記載のインクジェット記録装置。
【請求項５】
前記光源は紫外線を照射することを特徴とする請求項１〜４のいずれか一項に記載のインクジェット記録装置。
【請求項６】
前記光硬化性インクはカチオン重合性インクであることを特徴とする請求項１〜５のいずれか一項に記載のインクジェット記録装置。
【発明の詳細な説明】
【技術分野】
【０００１】
本発明はインクジェット記録装置に関し、特に光硬化性インクを用いて画像を記録するインクジェット記録装置に関する。
【背景技術】
【０００２】
近年、グラビア印刷方式やフレキソ印刷方式などの製版を必要とする方式の画像記録装置と比較して、簡便にかつ安価に画像を記録することができるという理由から、インクジェット記録装置が多く用いられるようになってきている。
【０００３】
このようなインクジェット記録装置を用いて商品や商品の包装に画像記録を行う分野では、商品や商品の包装に樹脂や金属などのインク吸収性のない材料を用いることが多い。そして、このようなインク吸収性のない材料を記録媒体として用い、この記録媒体に対してインクを定着させるために、光硬化性インクを用い、このインクを記録媒体に吐出した後、例えば紫外線などの光を照射してインクを硬化定着させる光硬化式のインクジェット記録装置が知られている。
【０００４】
このようなインクジェット記録装置においては、記録媒体に対してインクを吐出してから記録媒体上でインクの滲みや変色が発生する前に光照射を行い、インクを硬化させて記録媒体に定着させる必要がある。しかし、その一方で、記録ヘッド内やインク供給チューブなどに存在している記録ヘッドのノズルから吐出される前のインクや、メンテナンスユニットやホームポジションにおける排出インクは、硬化させずに液体を維持しておく必要がある。
【０００５】
そこで、特許文献１に記載のインクジェットプリンタは、記録媒体に対してインクを吐出した範囲以外には紫外線を照射しないよう照射手段を制御するようになっている。すなわち、特許文献１に記載のインクジェットプリンタは、記録媒体を支持するプラテンと、その上方に主走査方向に延在する一対のガイドレールを備えており、ホストシステムから入力されたプリントデータに基づいて、記録ヘッドを搭載したキャリッジを記録媒体の搬送方向（副走査方向）と直行する方向（主走査方向）に走査させながら、記録ヘッドのノズルよりインクを吐出して画像を記録するシリアル方式のインクジェット記録装置である。そして、キャリッジが記録領域に入ったときは照射手段のシャッター機構のシャッターを開けて光源から紫外線の照射を開始し、キャリッジが記録領域以外の範囲に入ったときはシャッターを閉めて紫外線の照射を停止するように、制御部により照射手段が制御されている。
【０００６】
これにより、記録ヘッド内やインク供給チューブなどに存在している印刷部から吐出される前のインクや、メンテナンスユニットやホームポジションにおける排出インクを硬化させることはなく、記録時のインクの吐出や排出をよりスムーズに行うことができる。
【特許文献１】特開２００２−１２７３４７号公報
【発明の開示】
【発明が解決しようとする課題】
【０００７】
しかし、このようなシリアル方式のインクジェット記録装置において、記録開始後にホストシステムからのデータ転送やデータ処理が間に合わず、連続的にプリントを行うことができない場合は、プリントデータが揃うまでキャリッジが記録媒体上やプラテン上など待機位置以外の場所で一時的に停止してしまう。このようにキャリッジが待機位置以外の場所にある状態で紫外線を照射しつづけると、光源の熱によりプリンタ内の機構が熱せられ、その輻射熱によりキャリッジ自体の温度が上がることによって記録ヘッドや光源の駆動安定性が損なわれると共に寿命が低下するという悪影響を及ぼしていた。さらに、専用の待機位置以外でキャリッジが停止することにより、光源からの紫外線の漏れ光が装置内に照射され、機構の劣化や不必要な部分でのインクの硬化がおこっていた。
【０００８】
また、記録媒体やそれを支持するプラテンが、加熱されて高温になることによって変形し、例えば皺や反りの発生など、記録時における記録媒体の平坦性を損ね、画質が低下してしまうという問題が生じていた。
【０００９】
特に、シリアル方式のインクジェットプリンタにおいては、光照射の時間を短縮してインク硬化の効率を高めるために、照射装置の光源には高圧水銀灯のような発熱量の大きい光源が多く用いられる。したがって、照射される対象物（以下「被照射体」という）に与える熱量は非常に大きく、上述した現象の起こる傾向が強くなっていた。
【００１０】
また、記録媒体に着弾したインクを硬化させないキャリッジの待機中にあっては光源を消灯することが望まれるが、例えば高出力光源である高圧水銀灯やメタルハライドランプなどは点灯開始から照度安定までに一定の時間を要すること、および光源の寿命は通常点灯消灯の切り替え回数に依存することから、一定時間以内の待機状態であるならば点灯を継続させることが望まれる。
【００１１】
本発明は、上述した実情に鑑みてなされたものであり、記録開始後にホストシステムからのデータ転送やデータ処理が滞った場合でも、待機位置以外の場所でキャリッジが停止することなく、光源によって記録領域の被照射体に与える熱を低減することを可能にする構成を備えたインクジェット記録装置を提供することを目的としている。
【課題を解決するための手段】
【００１２】
請求項１に記載の発明は、インクジェット記録装置であって、光硬化性インクを記録媒体上に吐出するノズルを備えたシリアル方式の記録ヘッドと、前記記録媒体に着弾した前記インクに光を照射して前記インクを硬化させる光源と、前記記録ヘッド及び前記光源を搭載したキャリッジを主走査方向に往復移動させる主走査機構と、前記キャリッジの走査範囲の両端側に位置する前記キャリッジの待機位置に設けられ、前記光源から放射される熱を吸収する被照射体と、少なくとも１走査に必要な画像データを記憶可能な容量を有し、外部装置から受け取った画像データを一時的に記憶する記憶部と、前記記憶部に１走査分の画像データが記憶されるまでは前記キャリッジを走査させず、前記待機位置で待機させるように制御する制御部と、を備えることを特徴とする。
【００１３】
請求項１に記載の発明によれば、キャリッジ待機位置がキャリッジの走査範囲の両端側にある構成において、制御部は外部装置から受け取った画像データが記憶部に１走査分記憶されるのを待ってからキャリッジを記録領域に走査することから、キャリッジは記録処理が終了するとキャリッジの走査範囲におけるいずれか一端側の待機位置に到達する。したがって、記録開始後に画像データの転送が滞ることによりキャリッジが記録媒体上やプラテン上など待機位置以外の場所で停止することはない。これによって、キャリッジが待機位置以外の場所にある状態で光源から記録媒体やプラテンなどに紫外線を照射しつづける状態を回避することができる。また、記録を行うとき以外はキャリッジをキャリッジの待機位置に停止させておくので、光源からの紫外線の漏れ光がインクジェット記録装置内に照射される状態も回避できる。
また、被照射体によって光源の熱を吸収することから、キャリッジが加熱されて高温になるのを回避することができる。
【００１４】
請求項２に記載の発明は、インクジェット記録装置であって、光硬化性インクを記録媒体上に吐出するノズルを備えたシリアル方式の記録ヘッドと、前記記録媒体に着弾した前記インクに光を照射して前記インクを硬化させる光源と、前記記録ヘッド及び前記光源を搭載したキャリッジを主走査方向に往復移動させる主走査機構と、前記キャリッジの走査範囲の一端側に位置する前記キャリッジの待機位置に設けられ、前記光源から放射される熱を吸収する被照射体と、少なくとも２走査に必要な画像データを記憶可能な容量を有し、外部装置から受け取った画像データを一時的に記憶する記憶部と、前記記憶部に２走査分の画像データが記憶されるまでは前記キャリッジを走査させず、前記待機位置で待機させるように制御する制御部と、を備えることを特徴とする。
【００１５】
請求項２に記載の発明によれば、キャリッジ待機位置がキャリッジの走査範囲の一端側にしかない構成においても、制御部は外部装置から受け取った画像データが記憶部に２走査分記憶されるのを待ってからキャリッジを記録領域に走査することから、待機位置以外の場所でキャリッジを停止させることなく画像の記録を行うことができる。
【００１６】
請求項３に記載の発明は、請求項２に記載のインクジェット記録装置であって、前記記憶部は少なくとも３走査分以上の画像データを記憶することのできる容量を有することを特徴とする。
【００１７】
請求項３に記載の発明によれば、キャリッジ待機位置がキャリッジの走査範囲の一端側にしかない構成において、キャリッジが記録領域にある状態で記憶部が新たに画像データを受け取る場合でも、記憶部に記録途中の画像データとして最大２走査分の容量が確保されている他、新たに受け取る画像データとして１走査分の容量が確保されているため、請求項２と同様の作用を得ることができる。
【００１８】
請求項４に記載の発明は、請求項１〜３のいずれか一項に記載のインクジェット記録装置であって、前記被照射体を冷却する冷却手段が設けられたことを特徴とする。
【００１９】
請求項４に記載の発明によれば、光源の熱を吸収した被照射体を積極的に冷却することにより、インクジェット装置の内部が加熱されて高温になるのを効果的に防止することができる。
【００２０】
請求項５に記載の発明は、請求項１〜４のいずれか一項に記載のインクジェット記録装置であって、前記光源は紫外線を照射することを特徴とする。
【００２１】
請求項５に記載の発明によれば、光源がインクを硬化させるために紫外線を照射するので、他の光を照射する光源を用いるよりも硬化性を高めコストを抑えることができる。
【００２２】
請求項６に記載の発明は、請求項１〜５のいずれか一項に記載のインクジェット記録装置であって、前記光硬化性インクはカチオン重合性インクであることを特徴とする。
【００２３】
請求項６に記載の発明によれば、カチオン重合性インクという比較的低出力の光源により硬化する硬化感度の高いインクを用いるので、低出力の光源の使用が可能となる。
【発明の効果】
【００２４】
請求項１の発明によれば、記録開始後にホストシステムからのデータ転送やデータ処理が滞った場合でも、キャリッジが記録媒体上やプラテン上など待機位置以外の場所で停止することはないため、光源の熱によって記録媒体やそれを支持するプラテンなどが高温になるのを抑えることができる。これにより、記録媒体やプラテンの変形などを防止し、記録時における記録媒体の平坦性を保って画質の低下を回避することができる。
また、待機位置において被照射体が光源の熱を吸収することから、光源の輻射熱によってキャリッジ自体の温度が上がるのを防止し、記録ヘッドや光源の駆動安定性を損なうことや、寿命が低下することを回避することができる。また、記録を行わないときはキャリッジをキャリッジの待機位置に停止させておくため、光源からの紫外線の漏れ光がインクジェット記録装置内に照射されて機構の劣化や不必要な部分でのインクの硬化が起きるのを防止することができる。
【００２５】
請求項２の発明によれば、キャリッジ待機位置がキャリッジの走査範囲の一端側にしかない構成においても、画像データの転送の滞りによりキャリッジが記録媒体上やプラテン上など待機位置以外の場所で停止することはなく、確実にキャリッジ待機位置で待機させることで請求項１と同様の効果を得ることができる。
【００２６】
請求項３の発明によれば、キャリッジ待機位置がキャリッジの走査範囲の一端側にしかない構成において、キャリッジが記録領域にある状態で記憶部が新たに画像データを受け取る場合でも、記憶部は新たに１走査分の画像データを記憶する容量を有するため、請求項２と同様の効果を得ることができる。
【００２７】
請求項４の発明によれば、被照射体を積極的に冷却してインクジェット記録装置の内部が高温になるのを防止することにより、キャリッジに搭載された記録ヘッドや光源の駆動安定性を損なうことや、装置自体の寿命が低下することを回避することができる。
【００２８】
請求項５の発明によれば、光源がインクを硬化させるために紫外線を照射するので、他の光を照射する光源を用いるよりも硬化性を高めコストを抑えることができる。
【００２９】
請求項６の発明によれば、カチオン重合性インクという比較的低出力の光源により硬化する硬化感度の高いインクを用いるので、低出力の光源の使用が可能となる。
【発明を実施するための最良の形態】
【００３０】
（第１の実施形態）
以下、本発明の第１の実施形態について、図１〜図６を参照しながら説明する。
【００３１】
本実施形態のインクジェット記録装置１はシリアル方式となっており、副走査方向への搬送が停止された記録媒体Ｐに対して、記録ヘッド４を搭載したキャリッジ３を主走査方向に往復させながら、記録ヘッド４より記録媒体Ｐにインクを吐出して画像を記録するようになっている。
【００３２】
図１に示すように、本実施形態のインクジェット記録装置１には主走査方向に延在するガイドレール７が配設されている。ガイドレール７にはキャリッジ３が支持されており、キャリッジ３は図示しない主走査機構１８（図５参照）の駆動モータによりガイドレール７の上を主走査方向に自在に移動できるようになっている。
【００３３】
キャリッジ３には、記録ヘッド４がその長手方向が副走査方向に平行となるように配置されており、記録ヘッド４のノズル面が記録媒体Ｐに対向するように配置されている。ノズルの吐出口からは、イエロー（Ｙ）、マゼンタ（Ｍ）、シアン（Ｃ）、ブラック（Ｂ）のいずれか一色の光硬化性インクが記録媒体Ｐに対して吐出される。
【００３４】
本実施形態において用いられる光硬化性インクとしては、紫外線硬化性インクのうち、酸素による重合反応の阻害作用が少なく、機能性、汎用性に優れるカチオン重合性インクが採用されている。カチオン重合性インクは、少なくともオキセタン化合物、エポキシ化合物、ビニルエーテル化合物などのカチオン重合性化合物と、光カチオン開始材と、色材とを含む混合物であり、紫外線の被照射により硬化する性質を具備するものである。
【００３５】
キャリッジ３の主走査方向における両側には、記録媒体Ｐに着弾したインクに光を照射してインクを硬化させるための照射装置５が搭載されている。照射装置５の内部には光源６が備えられており、本実施形態では光源６として紫外線光源６が採用されている。本実施形態においては、特に高圧水銀ランプなど発熱量が多い光源を使用する場合に顕著な作用効果を得ることができる。なお、光源６としてはこの他にもメタルハライドランプ、熱陰極管、冷陰極管、ＬＥＤ、無電極ランプ、エキシマランプ、低圧水銀ランプなどを用いることができ、これらのうちの少なくともいずれか一つが適用されていればよい。
【００３６】
キャリッジ３の走査範囲のうち中央部分は、記録媒体Ｐに記録を行う記録領域とされている。記録領域には、キャリッジ３の下方に位置し、記録媒体Ｐを平坦状に支持するプラテン２が設けられている。また、プラテン２の上流側には搬送モータ（図示せず）により駆動される搬送ローラ８が設けられている。プラテン２の副走査方向におけるさらに上流側には長尺状の記録媒体Ｐが巻回されている記録媒体元巻きローラ９が設けられており、記録媒体元巻きローラ８は軸芯回りに回転自在であるとともに、その一端部が記録媒体Ｐの幅に合わせて移動自在に構成されている。本実施形態においては、プラテン２、記録媒体元巻きローラ８、搬送モータ及び搬送ローラ８から搬送機構１９（図５参照）が構成されており、記録媒体Ｐを副走査方向に間欠的に搬送するようになっている。
【００３７】
キャリッジ３の走査範囲の両端側には、平板状の冷却ユニット１０ａ，１０ｂがプラテン２と略同一平面を構成するように配設されており、この冷却ユニット１０ａ，１０ｂの上方がキャリッジ３の待機位置となっている。冷却ユニット１０ａ，１０ｂには、キャリッジ３が待機位置で待機している状態でキャリッジ３の両側に配設された照射装置５に対向する位置に、被照射体１１が設けられている。
【００３８】
被照射体１１には光を受ける被照射面に光を吸収する材料がコーティングされている。この材料としては、紫外線吸収率の高い無機物または有機物の材料を用いることが好ましく、具体的には、無機物ではカーボンブラック及び超微粒子化された酸化チタン、酸化亜鉛及び酸化鉄（α−Ｆｅ2Ｏ3，Ｆｅ3Ｏ4）などの紛体など、有機物ではベンゾトリアゾール系化合物、芳香族化合物を含むものを用いることができる。また、被照射面の紫外線吸収率を高くするために、アルマイト処理などの各種金属酸化物処理をする方法、めっき処理、蒸着、スパッタリング処理を行うようにしてもよい。特に、日本塗料工業会色見本帳のＮｏ．Ｂｎ−１０塗装の仕上げ半つや処理を鉄あるいはアルミニウムなどの種種の金属に行うことで表面での紫外線を９９．９％以上吸収することが可能になる。
【００３９】
また、被照射体１１の被照射面は平面であり、この面と照射装置５の下端との間の間隙は５ｍｍ以内であることが好ましい。被照射面は、図２に示したように照射装置５と平行になるようにしてもよいし、あるいは被照射面と照射装置５との間の間隙のうち記録ヘッド４に近い方を小さく、遠い方を大きくして、被照射面を斜めにすることもできる。
【００４０】
図２に示すように、被照射体１１の裏面側には、被照射体１１の冷却手段として、照射装置５の光源６から照射される紫外線や光源６から発生する熱により加熱された被照射体１１の放熱を補助する複数のフィン１２が立設されている。
【００４１】
さらに、図３，４に示すように、被照射体１１の冷却手段として被照射体１１の裏面側に立設されたフィン１２を冷却するための冷却ファン１３がフィン１２の長手方向に対して垂直な方向から空気流を起こすように設けられている。
【００４２】
なお、被照射体１１の冷却手段としては、被照射体１１を水冷する装置などを設けてもよい。
【００４３】
次に、図５を参照しつつ本実施形態における制御部１４について説明する。制御部１４は、ＣＰＵ、ＲＯＭ、ＲＡＭ（いずれも図示せず）からなり、ＲＯＭに記録された処理プログラムをＲＡＭに展開してＣＰＵによりこの処理プログラムを実行するようになっている。
【００４４】
制御部１４には、記憶部１５、画像処理部１６、記録ヘッド４を駆動するヘッド駆動部１７、記録ヘッド４、主走査機構１８、搬送装置１９、光源６及び冷却ファン１３が電気的に接続されており、制御部１４は上記各構成部をそれぞれ駆動制御するようになっている。
【００４５】
インクジェット記録装置１にはネットワークを通じてホストシステム２０が接続されており、ホストシステム２０は、記録用の画像データをインクジェット記録装置１に送るほか、インクジェット記録装置１の全体の動作制御を行うための入力を行うことができるようになっている。
【００４６】
記憶部１５は、データバッファなどを備え、ホストシステム２０において入力されてインタフェース（Ｉ／Ｆ）２１を介して送られる符号化された画像データを一時的に記憶することができるようになっている。この記憶部１５は、ホストシステム２０とインクジェット記録装置１の制御部１４との間の通信速度は制御部１４が受信した画像データを記録媒体Ｐに記録する速度よりも遥かに速いことから、ホストシステム２０から受信した画像データを一時的に蓄えておき、制御部１４が印刷速度に合わせて順次画像データを読み出して記録処理を行うことができるようになっている。本実施形態における記憶部１５は少なくとも２走査分の画像データを記憶することができるようになっており、キャリッジ３が記録領域にあり記録を行っている状態で、記憶部１５に最大１走査分の画像データが残されている場合でも、新たに１走査分の画像データを受け取って記憶することができるようになっている。
【００４７】
画像処理部１６は、記憶部１５に記憶されている符号化された入力画像データを、インクジェット記録装置１で処理できるデータ形式にするために復号化してヘッド駆動部１７に送るようになっている。
【００４８】
ヘッド駆動部１７は、制御部１４から送られる信号に基づいて、画像処理部１６で得られた記録画像に関するデータを記録するよう記録ヘッド４を駆動するようになっている。
【００４９】
主走査機構１８は、キャリッジ３を駆動する駆動モータ（図示せず）を備えており、制御部１４がこの駆動モータを駆動制御することによって、キャリッジ３がガイドレール７に沿って主走査方向に走査されるようになっている。
【００５０】
搬送装置１９は、プラテン２、記録媒体元巻きローラ８、搬送モータ及び搬送ローラ８から構成されており、制御部１４がこの搬送モータを駆動制御することによって、搬送モータ及び搬送ローラ８を周期的に回転駆動し、画像記録時において記録媒体元巻きローラ８に巻回されている記録媒体Ｐを所定の単位送り量で繰り出すことにより、記録媒体Ｐを間欠的に搬送することができるようになっている。
【００５１】
照射装置５は、制御部１４が光源６を点灯することによって、光源６から記録媒体Ｐに着弾したインクに紫外線を照射し、インクを硬化させるようになっている。
【００５２】
制御部１４は、キャリッジ３を主走査方向に往復駆動させるように主走査機構１８の駆動モータを駆動制御するようになっている。画像記録時には、記録媒体Ｐを副走査方向に搬送させるよう搬送装置１９の搬送ローラ８を駆動制御し、ホストシステム２０から入力されインタフェース２１を介して記憶部１５に記憶された所定の画像記録情報に基づいて、記録ヘッド４の吐出口から所要の色のインクを吐出させるようにヘッド駆動部１７を駆動制御する。そして、記録媒体Ｐの上に着弾したインクに対して光を照射させるように光源６を制御するようになっている。
【００５３】
また、制御部１４は画像データの記録が終了したか否かを判断するようになっている。そして、記録処理が終了した場合はキャリッジ３を待機位置に移動し、記録処理が終了していない場合は、記憶部１５に残された画像データが１走査分以上であるか否かを判断するようになっている。その結果、記憶部１５に残された画像データが１走査分以上である場合は、キャリッジ３が記録領域にある状態で継続して記録媒体Ｐへの記録処理を行い、画像データが１走査分に満たない場合はキャリッジ３を待機位置である冷却ユニット１０ａの上方に移動し、記憶部１５に画像データを継続して記憶させるようになっている。
【００５４】
次に、本実施形態の作用について図６を参照しながら説明する。
【００５５】
本実施形態のインクジェット記録装置１の電源を入れると、制御部１４は照射装置５の光源６を点灯し（ステップＳ１）、冷却ファン１３を駆動制御して回転させる（ステップＳ２）。また、記録を行わない状態ではキャリッジ３は待機位置である冷却ユニット１０ａの上方において待機している。
【００５６】
ホストシステム２０に所定の画像データが入力され、インタフェース２１を介してインクジェット記録装置１に送られると、記憶部１５が所定の画像データを記憶する（ステップＳ３）。そして、制御部１４は、記録時においてキャリッジ３を少なくとも１走査するだけの画像データが記憶部１５に記憶されたと判断すると、記録媒体Ｐへの記録処理を開始する（ステップＳ４）。一方、制御部は、１走査分の画像データが記憶部１５に記憶されたと判断するまでは記録処理を開始しない。この場合、キャリッジ３を待機位置である冷却ユニット１０ａの上方で待機させた状態で、記憶部１５に画像データの記憶を継続させる（ステップＳ３）。
【００５７】
記録処理が開始されると、制御部１４は、駆動モータを駆動制御することによってキャリッジ３を待機位置である冷却ユニット１０ａの上方から記録領域まで移動させる（ステップＳ５）。そして、記録領域においてキャリッジ３を走査するとともに、搬送ローラ８を駆動制御することで記録媒体Ｐをプラテン２上で副走査方向に搬送しながら、所定の画像データに基づいて記録ヘッド４のノズルからインクを吐出させる。そして記録媒体Ｐにインクが着弾すると、キャリッジ３の両側に設けられた照射装置５の光源６が紫外線を照射してインクを硬化させる（ステップＳ６）。
【００５８】
次に、制御部１４は画像データの記録が終了したか否かを判断する（ステップＳ７）。
【００５９】
その結果、画像データの記録が終了した場合は、キャリッジ３を待機位置に移動して（ステップＳ１０）、記録処理を終了する。
【００６０】
一方、画像データの記録が終了していない場合は、制御部１４は記憶部１５に残された画像データが１走査分以上であるか否かを判断する（ステップＳ８）。そして、画像データが１走査分以上である場合は、キャリッジ３が記録領域にある状態で継続して記録媒体Ｐへの記録処理を行う（ステップＳ６）。一方、記憶部１５に残された画像データが１走査分に満たない場合は、キャリッジ３を待機位置に移動し（ステップＳ９）、待機位置で待機させた状態で再び記憶部１５がホストシステム２０から送られる所定の画像データを記憶する（ステップＳ３）。そして、１走査分の画像データが記憶部１５に記憶されたと判断すると、記録媒体Ｐへの記録処理を再開する（ステップＳ４）。
【００６１】
こうして記録処理が終了すると、制御部１４はその時点でキャリッジ３から近い側の待機位置となる冷却ユニット１０ａ又は１０ｂの上方にキャリッジを移動する（ステップＳ１０）。例えば、初めにキャリッジが待機位置である冷却ユニット１０ａの上方で待機しており、記憶部１５に３走査分の画像データが記憶されて記録が開始された場合は、記録処理終了後、元の待機位置である冷却ユニット１０ａの上方とプラテン２を挟んで反対側にある待機位置である冷却ユニット１０ｂの上方にキャリッジが移動される。また、４走査分の画像データが記憶されて印刷が開始された場合は、記録処理終了後に元の待機位置と同じ待機位置である冷却ユニット１０ａの上方にキャリッジ３が移動される。
【００６２】
キャリッジ３が待機位置である冷却ユニット１０ａ，１０ｂの上方にあるとき、照射装置５はスタンバイモードにて光源６の点灯動作を継続する一方で、被照射体１１は照射装置５の光源６による光の照射を受ける。ここで発生する熱は、フィン１２を通じて放熱される。一方で、フィン１２は冷却ファン１３による冷却動作により冷却される。これにより、照射装置５をキャリッジ３の待機時に消灯させる必要がなくなり、また被照射体１１に照射される光によって発生する熱を効率よく逃がすことができる。
【００６３】
また、被照射体１１の被照射面からの反射光は極力抑えられ、反射光は発生しても記録ヘッド４側には入射しないため、記録ヘッド４のノズルには光が入らない。したがって、待機時に照射装置５からの光が被照射体１１の被照射面で反射したとしても、この反射光による記録ヘッド４に対する悪影響を低減することができる。
【００６４】
以上より、本実施形態によれば、キャリッジ３の待機位置はキャリッジ３の走査範囲の両端側に位置し、制御部１４は記憶部１５に画像データが１走査分記憶されるのを待ってからキャリッジ３を記録領域に走査することから、記録開始後にホストシステム２０からのデータ転送やデータ処理が滞ってキャリッジ３が待機位置以外の場所で停止するということはなくなる。これにより、キャリッジ３が待機位置以外の場所にある状態で光源６から記録媒体Ｐやプラテン２などに紫外線を照射しつづける状態を回避することができる。また、記録を行うとき以外はキャリッジ３をキャリッジ３の待機位置である冷却ユニット１０ａ，１０ｂの上方に停止させておくので、光源６からの紫外線の漏れ光がインクジェット記録装置１内に照射される状態も回避できる。
【００６５】
また、キャリッジ３の待機位置において照射装置５の光源６は冷却ユニット１０ａ，１０ｂの被照射体１１に対して光を照射し、被照射体１１の被照射面に入射した光は光吸収材料によって吸収されることから、待機中に光源６の点灯を継続させても被照射体１１に与える熱による影響を低減することが可能になる。また、被照射面上での反射光が生じるおそれがなくなり、この反射光により生じる悪影響、例えば記録ヘッド４への反射光の入射などを抑えることができる。
【００６６】
さらに、被照射体１１をフィン１２及び冷却ファン１３にて積極的に冷却することで、光源６が照射する光により発生する熱による影響を効率よく低減することができる。
【００６７】
また、光源６がインクを硬化させるために紫外線を照射するので、他の光を照射する光源６を用いるよりも硬化性を高めコストを抑えることができる。
【００６８】
また、カチオン重合性インクという比較的低出力の光源６により硬化する硬化感度の高いインクを用いるので、低出力の光源を使用することが可能となる。
【００６９】
（第２の実施形態）
次に、本発明の第２の実施形態について図７及び図８を参照しながら説明する。なお、第１の実施形態と同一部分には同一符号を付してその説明を省略し、第１の実施形態と異なる部分について説明する。
【００７０】
本実施形態のインクジェット記録装置１においては、図７に示すように、キャリッジ３の走査範囲の一端部分に平板状の冷却ユニット１０ａが配設されており、この冷却ユニット１０ａの上方がキャリッジ３の待機位置となっている。
【００７１】
記憶部１５は少なくとも３走査分の画像データを記憶することができるようになっており、キャリッジ３が記録領域にあり記録を行っている状態で、記憶部１５に最大２走査分の画像データが残されている場合でも、新たに１走査分の画像データを受け取って記憶することができるようになっている。
【００７２】
また、制御部１４は画像データの記録が終了したか否かを判断するようになっている。そして、記録処理が終了した場合はキャリッジ３を待機位置に移動し、記録処理が終了していない場合は、記憶部１５に残された画像データが２走査分以上であるか否かを判断するようになっている。その結果、記憶部１５に残された画像データが２走査分以上である場合は、キャリッジ３が記録領域にある状態で継続して記録媒体Ｐへの記録処理を行い、画像データが２走査分に満たない場合はキャリッジ３を待機位置である冷却ユニット１０ａの上方に移動し、記憶部１５に画像データを継続して記憶させるようになっている。
【００７３】
次に、本実施形態の作用について図８を参照しながら説明する。
【００７４】
ステップＳ１１〜Ｓ１３は第１の実施形態のステップＳ１〜Ｓ３と同様である。
【００７５】
制御部１４は、記録時においてキャリッジ３を少なくとも２走査するだけの画像データが記憶部１５に記憶されたと判断すると、記録媒体Ｐへの記録処理を開始する（ステップＳ１４）。一方、制御部は、２走査分の画像データが記憶部１５に記憶されたと判断するまでは記録処理を開始しない。この場合、キャリッジ３を待機位置である冷却ユニット１０ａの上方で待機させた状態で、記憶部１５に画像データの記憶を継続させる（ステップＳ１３）。
【００７６】
ステップＳ１５〜Ｓ１７は第１の実施形態のステップＳ５〜Ｓ７と同様である。
【００７７】
そして、ステップＳ１７において記録処理が終了していないと判断されると、制御部１４は記憶部１５に残された画像データが２走査分以上であるか否かを判断する（ステップＳ１８）。そして、画像データが２走査分以上である場合は、キャリッジ３が記録領域にある状態で継続して記録媒体Ｐへの記録処理を行う（ステップＳ１６）。一方、記憶部１５に残された画像データが２走査分に満たない場合は、キャリッジ３を待機位置に移動し（ステップＳ１９）、待機位置で待機させた状態で再び記憶部１５がホストシステム２０から送られる所定の画像データを記憶する（ステップＳ１３）。
【００７８】
こうして記録処理が終了すると、制御部１４はキャリッジを待機位置である冷却ユニット１０ａの上方に移動する（ステップＳ２０）。
【００７９】
以上より、本実施形態によれば、キャリッジ３の待機位置がキャリッジ３の走査範囲の一端側にしかない構成においても、制御部１４は外部装置から受け取った画像データが記憶部１５に２走査分記憶されるのを待ってキャリッジ３を記録領域に走査することから、待機位置以外の場所でキャリッジ３を停止させることなく画像の記録を行うことができる。これにより、第１の実施形態と同様の作用が得られる。
【００８０】
また、キャリッジ３待機位置がキャリッジ３の走査範囲の一端側にしかない構成において、キャリッジ３が記録領域にある状態で記憶部１５が新たに画像データを受け取る場合でも、記憶部１５に記録途中の画像データとして最大２走査分の容量が確保されている他、新たに受け取る画像データとして１走査分の容量が確保されているため、第１の実施形態と同様の作用が得られる。
【００８１】
以上述べたように本発明のインクジェット記録装置１によれば、記録開始後にホストシステム２０からのデータ転送やデータ処理が滞った場合でも、キャリッジ３が待機位置以外の場所で停止することはないため、光源の熱によって記録媒体やそれを支持するプラテンなどが高温になるのを抑えることができる。これにより、記録媒体やプラテンの変形をなどを防止し、記録時における記録媒体の平坦性を保って画質の低下を回避することができる。
また、待機位置において被照射体が光源の熱を吸収することから、光源の輻射熱によってキャリッジ自体の温度が上がるのを防止し、記録ヘッドや光源の駆動安定性を損なうことや、寿命が低下することを回避することができる。また、記録を行わないときはキャリッジをキャリッジの待機位置に停止させておくため、光源からの紫外線の漏れ光がインクジェット記録装置内に照射されて機構の劣化や不必要な部分でのインクの硬化が起きるのを防止することができる。
【００８２】
さらに、被照射体を積極的に冷却してインクジェット記録装置の内部が高温になるのを防止することにより、キャリッジに搭載された記録ヘッドや光源の駆動安定性を損なうことや、装置自体の寿命が低下することを回避することができる。
【図面の簡単な説明】
【００８３】
【図１】第１の実施形態のインクジェット記録装置の概略構成を示す平面図である。
【図２】第１の実施形態の要部を示す正面図である。
【図３】第１の実施形態の冷却ユニット及び冷却ファンの構成を示す斜視図である。
【図４】第１の実施形態の冷却ユニット及び冷却ファンの構成を示す背面図である。
【図５】第１の実施形態のインクジェット記録装置の構成を示すブロック図である。
【図６】第１の実施形態のインクジェット記録装置の動作を示すフローチャートである。
【図７】第２の実施形態のインクジェット記録装置の概略構成を示す平面図である。
【図８】第２の実施形態のインクジェット記録装置の動作を示すフローチャートである。
【符号の説明】
【００８４】
１  インクジェット記録装置
２  プラテン
３  キャリッジ
４  記録ヘッド
５  照射装置
６  光源
７  ガイドレール
８  搬送ローラ
９  記録媒体元巻きローラ
１０ａ，１０ｂ  冷却ユニット
１１  被照射体
１２  フィン
１３  冷却ファン
１４  制御部
１５  記憶部
１６  画像処理部
１７  ヘッド駆動部
１８  主走査機構
１９  搬送装置
２０  ホストシステム
２１  インタフェース（Ｉ／Ｆ）
Ｐ  記録媒体
【図１】
2006043952.tif 000003
【図２】
2006043952.tif 000004
【図３】
2006043952.tif 000005
【図４】
2006043952.tif 000006
【図５】
2006043952.tif 000007
【図６】
2006043952.tif 000008
【図７】
2006043952.tif 000009
【図８】
2006043952.tif 000010